(57)【特許請求の範囲】
【請求項１】
打球発射機構より発射された遊技球を遊技領域内に誘導する誘導レールが遊技盤表面の下端から上部に向けて円形状に配設され、前記誘導レールは弾性を有する帯状の金属板からなると共に適宜ピッチ間隔で設けた係止部材によって遊技盤に取り付けられているパチンコ遊技機において、
前記誘導レールの下方外側面に沿うような円弧状側面を有し、かつ該円弧状側面に複数の突起を設けたレール変形防止部材を形成し、該レール変形防止部材の円弧状側面と誘導レールとの間に僅かな隙間が生じるようにレール変形防止部材を配設し、
前記複数の突起のうち少なくとも１の突起が誘導レールの係止部材と対峙する位置に設けられていることを特徴とするパチンコ遊技機。
【請求項２】
前記レール変形防止部材に前面枠体の賞球出口を囲うと共に、打球供給皿の賞球導入部に連通するガイド部を形成したことを特徴とする請求項１記載のパチンコ遊技機。
【発明の詳細な説明】
【０００１】
【発明の属する技術分野】
本発明は、パチンコ遊技機に係り、さらに詳しくは遊技盤面上に設けられ遊技球を遊技領域内に誘導する誘導レールの変形防止部材を備えたパチンコ遊技機に関するものである。
【０００２】
【従来の技術】
従来からパチンコ遊技機の誘導レールは、周知のように弾性を有する帯状の金属板により形成されており、さらに該誘導レールはその一側周縁部の適宜ピッチ間隔位置に取付孔を設けると共に、該取付孔に割ピンを装着して、該割ピンを遊技盤面に圧入することにより遊技盤面上に所定取付角度でほぼ円形状に取り付けられている。しかしながら、発射レールから発射された遊技球は常に誘導レールの略同一範囲内に着地することになるため、パチンコ遊技機が長期間使用されると、次第に誘導レールの所定取付角度にずれが生じてきてしまうような事態が発生する。また、誘導レールの内側面に汚れが付着すると遊技球の球飛びに影響を与えることから誘導レールの内側面は比較的頻繁に清掃されるが、この際、誘導レールが外方へ変形してしまうような事態も発生する。このように誘導レールに角度ずれが生じたり、あるいは外方へ変形するようなことがあると、着地範囲以後の誘導レール上の遊技球の動転状態が変化し遊技領域内への遊技球の入球がばらついて安定した球飛び状態が得られないという問題を有していた。そこで、本出願人は上記問題を解消すべく特許２９２６０３４号公報に示すようにガラス破損防止板の取付台板に複数の支持片部を形成し、該支持片部を誘導レールに当接させるようにしたパチンコ遊技機における誘導レールの支持構造を提案している。
【０００３】
しかし、上記した特許２９２６０３４号に係るパチンコ遊技機の誘導レールの支持構造は、ガラス破損防止板の取付台板に設けられた支持片部を誘導レールに完全に当接させた構成としていることから誘導レールの角度ずれを防止するという点では優れているものの、反面、誘導レールのたわみの範囲を少なくしてしまうという問題を有していた。
【０００４】
そして、本出願人らによって、さらに研究を進めたところ、誘導レールの遊技球の着地範囲に多少の角度ずれが生じたとしても、わずかな範囲内に止めることができれば球飛びにさほど影響を与えることがなく、むしろ遊技球の着地範囲のたわみを良好な状態に維持することができれば、遊技領域内への遊技球の入球にばらつきがなく安定した球飛び状態が得られることが判明した。
【０００５】
また、パチンコ遊技機の誘導レールについてのもう１つの問題として従来から以下の点が指摘されていた。すなわち、誘導レールは弾性を有する金属板により形成されていることから、例えば、ふき掃除等によって誘導レールに余分な力が加わったとしても自らの復元力によってもとに戻ろうとする力が働くことになる。これに対し、誘導レールの割ピンが装着されている部分については、割ピンによって固定されてしまうため、復元力が働かず、その部分に余分な力が加わるなどして一旦変形してしまうと変形されたままの状態となってしまう。
【０００６】
【発明が解決しようとする課題】
そこで、本発明は上記のような問題点に鑑みてなされたもので、その目的とするところは、パチンコ遊技機が長期間使用され遊技球が誘導レールの一定範囲内に継続して着地するような場合、あるいはふき掃除によって誘導レールに余分な力が加わったような場合でも、誘導レールの角度ずれや変形を遊技球の球飛びに影響を与えることのない最小限の範囲に止め、しかも遊技球の着地時における誘導レールのたわみも良好な状態を保持し得るようにして、遊技球を常に安定した状態で遊技領域内へと導くことができるレール変形防止部材が配設されたパチンコ遊技機を提供しようとするものである。
【０００７】
【課題を解決するための手段】
上記目的を達成するために本発明は、打球発射機構より発射された遊技球を遊技領域内に誘導する誘導レールが遊技盤表面の下端から上部に向けて円形状に配設されたパチンコ遊技機において、前記誘導レールの下方外側面に沿うような円弧状側面を有し、かつ該円弧状側面に複数の突起を設けたレール変形防止部材を形成し、該レール変形防止部材の円弧状側面と誘導レールとの間に僅かな隙間が生じるようにレール変形防止部材を配設したことを特徴とするものである。
【０００８】
また、請求項２記載のように前記複数の突起のうち少なくとも１の突起を誘導レールの係止部材と対峙する位置に設けることが好ましい。この場合、前記突起は、レール変形防止部材の円弧状側面の後端縁から一定間隔離して、レール変形防止部材の円弧状側面の長手方向と直交する向きに一定幅をもって、かつ上端面をわずかに扁平させて形成するとよい。このようにすることで、誘導レールのうち、割ピンによって固定され復元力が働かないような部分について、変形による弊害を事前に防止することができる。
【０００９】
さらに、請求項３記載のように前記レール変形防止部材に前面枠体に開設された賞球出口を囲い、かつ打球供給皿の賞球導入部に連通するガイド部を形成しておくことが好ましい。これにより、レール変形防止部材とは別個に前記ガイド部を形成する必要がなくなり、部品点数を減少させてコストダウンを図ることができると共に、パチンコ遊技機を廃棄処分したり、リサイクルする際に分離仕分け作業が容易となる。
【００１０】
また、好ましい態様として、前記レール変形防止部材の前面と、例えばレール飾り部材等の盤面部品の前面に同一装飾を施すようにするとよい。これによって、パチンコ遊技機前面のデザインに統一性を持たせることができ、遊戯者を視覚的に惹きつけることが可能となる。
【００１１】
【発明の実施の形態】
次に、本発明の一実施の形態を図面を参照しながら説明する。図１は本発明に係るパチンコ遊技機の正面図、図２は本発明に係るパチンコ遊技機のガラス板保持枠と前面板及び前面下部板を開いた状態の斜視図、図３は前面枠体の斜視図である。パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５と打球供給皿６を有する前面板７及び余剰球受皿８を有する前面下部板９とを開閉自在に軸支して構成されている。
【００１２】
前記前面枠体４は、図３に示すように鉄板等の金属板によって形成されるもので、上部にほぼ正方形状の開口部１０が形成され、その下部が板状部１１ａとして形成された主枠部１１と、該主枠部１１の裏面側であり、開口部１０の上側位置を除く左右両側位置及び下側位置にそれぞれカシメ着されて該主枠部１１と一体化される遊技盤取付枠１２とを有し、その遊技盤取付枠１２であり、かつ主枠部１１の開口部１０を覆うように遊技盤１３が着脱可能に取り付けられるようになっている。また、前記主枠部１１は、開口部１０の左側下部部分が遊技盤１３に円形状に配設された誘導レール１４の外周面に沿うように円弧状に張り出した円弧状形成面１５として形成されており、その円弧状形成面１５に打球供給皿６の賞球導入部１６に連通する賞球出口１７が開設されていると共に、後述するレール変形防止部材１８を装着するためのコ字状突出部１９が複数形成されている。さらに、開口部１０下方の板状部１１ａには後述する打球発射機構２０を装着するための円形状の取付孔２１及び通路構成体２２を装着するためのほぼ四角形状の取付孔２３が貫通形成されている。
【００１３】
前記ガラス板保持枠５は、前面枠体４の上半部分を全幅にわたって覆う大きさに形成され、その中央部に遊技盤１３の遊技領域が視認可能な方形状の開口を有する合成樹脂製の本体枠２４と、該本体枠２４の裏面側に装着される補強金属板２５とから構成されている。前記補強金属板２５には、本体枠２４の開口の上辺部を除く左右側辺部及び下側辺部を囲うようにコ字形に形成された溝枠部材２６が一体的に設けられており、該溝枠部材２６に遊技盤１３を透視し得る内外２枚のガラス板２７が上方より挿入嵌合されて保持されている。また、本体枠２４と補強金属板２５の開放側側辺には貫通孔２８が穿設されており、前面枠体４及びガラス板保持枠５の施錠機構２９に設けられたシリンダー錠３０が貫通孔２８に臨むようになっている。
【００１４】
前記打球供給皿６は、図１に示すようにその左側部分が膨出部３１とされており、該膨出部３１に前面が開放されたドーム状の空間部３２が形成されている。そして、その空間部３２に灰皿３３が前方に回転自在に軸支されている。また、前記ドーム状の空間部３２が設けられた膨出部３１の上部には半透明のレンズカバー３４が設けられ、カード式パチンコ機用の残高表示装置３５がレンズカバー３４の内側であり、打球供給皿６の本体側に配設されている。さらに残高表示装置３５の近くにカード式パチンコ機における貸し球ボタン３６、カード返却ボタン３７等の操作部が設けられている。このように、ドーム状の空間部３２に灰皿３３を設けることによって、灰皿３３を目立たなくすることができると共に、全体的なデザイン効果を高めるようになっている。
【００１５】
前記余剰球受皿８は、図１に示すようにその右測位置にハンドル装置３９が設けられており、該余剰球受皿８の前面を装飾する装飾カバー体４０と、ハンドル装置３９のカバー部４１とが滑らかな湾曲面状で連続性を有する一体形状となるように形成されている。また、余剰球受皿８の前面ほぼ中央部には、多数の透音孔４２を設けたパンチングメタル４３を介してスピーカー４４が取り付けられている。そして、スピーカー４４の音がパンチングメタル４３を通して余剰球受皿８の前面ほぼ中央部から直接に出されるようになっている。
【００１６】
ところで、前記前面枠体４の開口部１０下方の板状部１１ａには打球発射機構２０と通路構成体２２とがそれぞれ着脱自在に装着されている。
【００１７】
前記打球発射機構２０は、発射レール４５と、該発射レール４５の発射位置に臨む打球杆４６と、該打球杆４６の駆動源としてのロータリーソレノイド４７と、打球杆４６の発射動作に連動して打球供給皿６に貯留される打球を１個ずつ発射レール４５の発射位置に供給する自動球送り装置４８とをそれぞれ板状の保持体４９に一体に組付けてユニット化されている。そして、主枠部１１の板状部１１ａに貫通形成された円形状の取付孔２１にロータリーソレノイド４７を前面側から臨ませると共に、保持体４９の裏面側に突設された複数の嵌合突起（図示せず）を板状部１１ａに穿設された係合孔５０に係合させることによって、打球発射機構２０が前面枠体４の主枠部１１にビス止めすることなくワンタッチで強固に取り付けられるようになっている。
【００１８】
前記通路構成体２２は、その上部位置にファール球を受けるファール球受皿部５２と、前面板７の開放時に零れ落ちる賞球を受ける賞球受皿部５３が隔壁５４によりそれぞれ分離して設けられており、ファール球受皿部５２と連通状にファール球誘導通路５５が、また賞球受皿部５３と連通状に零れ球誘導通路５６がそれぞれ互いに独立して設けられている。そして、主枠部１１の板状部１１ａに貫通形成されたほぼ四角形状の取付孔２３に通路構成体２２の後部分を前面側から臨ませると共に、複数の後向き係止爪（図示せず）を板状部１１ａに穿設された係合溝５７に係止させることによって、通路構成体２２が前面枠体４の主枠部１１にビス止めすることなくワンタッチで強固に取り付けられるようになっている。
【００１９】
このように、打球発射機構２０、或いは通路構成体２２をユニット化して鉄板等の金属板によって形成される前面枠体４に取り外し自在に装着するようにすることにより、前面枠体４と打球発射機構２０、或いは通路構成体２２の分離仕分け作業が容易となり、パチンコ遊技機１を廃棄処分したり、リサイクルするのに好都合となる。
【００２０】
さらに、図２に示すように前記遊技盤１３前面には、その下端左よりの位置から上部に向けて誘導レール１４が遊技盤に対して所定の角度で、かつほぼ円形状に植立されている。前記誘導レール１４はステンレス等の弾性を有する帯状の金属板によって形成され、該誘導レール１４によって区画された領域が遊技領域として構成されている。この誘導レール１４の取付けは、誘導レール１４が遊技盤１３に当接する側の一側端に適宜ピッチ間隔で取付孔５８を複数設け、該取付孔５８に割りピン等の係止部材５９をあらかじめ挿入し、該挿入された係止部材５９を遊技盤面の取付穴６０に圧入することにより行われる。
【００２１】
一方、誘導レール１４で規制された遊技領域外であって遊技盤１３前面の右側下部隅角には合成樹脂により形成された証紙貼付部材６５が設けられ、同じく誘導レール１４で規制された遊技領域外であって前面枠体４の前面には合成樹脂により形成されたレール飾り部材７０と、レール変形防止部材１８とがそれぞれ誘導レール１４を囲うように配設されている。
【００２２】
前記証紙貼付部材６５は、パチンコ遊技機１が検査に合格したことを示す証紙を貼り付けるためのもので、断面コ字状に形成されると共に、図５に示すようにその内側に位置する側面６６が誘導レール１４に沿うように円弧状に形成されている。そして、裏面に突設された断面十字状の嵌合突起６７を遊技盤１３に穿設された貫通孔６８に嵌合させることによりビス止めすることなく遊技盤１３に装着されるようになっている。
【００２３】
前記レール飾り部材７０は、図７に示すように誘導レール１４の上部に沿う円弧状側壁７１を有する取付台板７２と、該取付台板７２の前面に装着される３分割された半透明であり、かつ誘導レール１４の円弧と同心円状の波型模様が施されたカバー部材７３ａ，７３ｂ，７３ｃとの間にランプ基板７４ａ，７４ｂ，７４ｃを挟み込んで一体にユニット化されており、各ランプ基板７４ａ，７４ｂ，７４ｃに発光装置として複数のランプ７５を設けて構成されている。このように一体にユニット化されたレール飾り部材７０は、その両側部に設けた取付片７６を主枠部１１に設けた断面ほぼコ字状の突出部７７の空隙部７８に嵌合させることによりビス止めすることなく前面枠体４に装着されるようになっている。
【００２４】
一方、前記レール変形防止部材１８は、図４乃至図６に示すようにその上方部分が断面コ字状に形成されると共に、その前面には誘導レール１４の円弧と同心円状の波型模様が施されており、下方部分は段部を介して平坦面に形成され、該平坦面には前面枠体４に開設された賞球出口１７を囲うガイド部８０が一体に設けられている。そして、前記レール変形防止部材１８の内側に位置する側面８１が誘導レール１４に沿うように円弧状に形成されており、その円弧状側面８１に複数の突起８２が所定間隔を離して一体に設けられている。また、前記突起８２は、図４に示すようにレール変形防止部材１８の円弧状側面８１の後端縁から一定間隔離して、レール変形防止部材１８の円弧状側面の長手方向と直交する向きに一定幅をもって、かつ上端面をわずかに扁平させて形成されている。このようにレール変形防止部材１８は、その円弧状側面８１に複数の突起８２を設けて構成されていることから、レール変形防止部材１８が配設されると誘導レール１４との間に僅かな隙間８３を生じさせることになる。これによって、誘導レール１４には打球発射機構２０から発射された打球が着地した際のクッション性が付与されることになり、遊技球がばらつくことなく安定した状態で遊技領域内へ入球することになる。他方、パチンコ遊技機が長期間使用され遊技球が誘導レール１４の一定範囲内に継続して着地したような場合、あるいは誘導レール１４のふき掃除によって誘導レール１４に余分な力が加わったような場合でも、誘導レール１４はレール変形防止部材１８の円弧状側面８１に受け止められることになるため、その角度ずれや変形を遊技球の球飛びに影響を与えることのない最小限の範囲に止めることができる。さらに、図６に示すように円弧状側面８１に設けられた複数の突起８２のうち、少なくとも１の突起８２(ａ)は、レール変形防止部材１８を前面枠４に配設した際、誘導レール１４の係止部材５９と対峙する位置に設けられている。これにより、誘導レール１４の係止部材５９が装着された部分の変形を事前に防止することができる。
【００２５】
上記のように構成されたレール変形防止部材１８は前記主枠部１１の開口部１０左側下部部分の円弧状に張り出した円弧状形成面１５に取付けられる。従って、遊技盤１３を交換する必要が生じた場合、レール変形防止部材１８とは無関係に遊技盤１３のみを交換することができ、無駄が少なくなる。また、レール変形防止部材１８の具体的な取付方法としては、図５に示すようにレール変形防止部材１８の側部に突出させた複数の係止部８４を主枠部１１の円弧状形成面１５に設けた断面ほぼコ字状突出部１９の空隙部８５に嵌合して行う。このようにレール変形防止部材１８は、簡易に脱着しうるようにされていることから、パチンコ遊技機１を廃棄処分したり、リサイクルする際の前面枠体４との分離選別作業が容易となる。
【００２６】
なお、上記したパチンコ遊技機１の遊技領域外に取付けられるレール変形防止部材１８、レール飾り部材７０、証紙貼付部材６５等のいわゆる盤面部品は前面枠体４、或いは遊技盤１３の前面に取り付けた状態において、円弧状に形成された内側面が遊技盤１３に取り付けられた誘導レール１４よりも若干高くなるように形成されている。これによって、誘導レール１４のエッジ部１４ａに手や指等を直接に触れさせないようにすることができるため、遊技盤１３の釘調整時や拭き掃除等の際に誘導レール１４のエッジ部１４ａでけがをするようなことをなくすことができる。ただし、必ずしもそのように形成する必要はなく、誘導レール１４と同じ高さ、あるいは誘導レール１４より若干低くなるように形成してもよい。
【００２７】
【発明の効果】
以上説明したところから明らかなように、本発明のパチンコ遊技機は誘導レールの下方外側面に沿うような円弧状側面を有し、かつ該円弧状側面に複数の突起を設けたレール変形防止部材を誘導レールとの間に僅かな隙間が生じるように配設したことから、パチンコ遊技機が長期間使用され遊技球が誘導レールの一定範囲内に継続して着地した場合、あるいはふき掃除によって誘導レールに余分な力が加わったような場合でも、誘導レールの角度ずれや変形を遊技球の球飛びに影響を与えることのない最小限の範囲に止めることができる。しかも遊技球の着地時における誘導レールのたわみも良好な状態を保持することができ、ひいては遊技球を常に安定した状態で遊技領域内へと導くことができる。
【００２８】
また、レール変形防止部材の円弧状側面に形成した複数の突起のうち少なくとも１の突起を誘導レールの係止部材と対峙する位置に設けることによって、誘導レールのうち、割ピン等の係止部材によって固定され復元力が働かないような部分について、変形による弊害を事前に防止することができる。
【００２９】
さらに、レール変形防止部材に前面枠体に開設された賞球出口を囲い、かつ打球供給皿の賞球導入部に連通するガイド部を形成したことにより、レール変形防止部材とは別個に前記ガイド部を形成する必要がなくなり、部品点数を減少させてコストダウンを図ることができると共に、パチンコ遊技機を廃棄処分したり、リサイクルする際に分離仕分け作業が容易になる。
【図面の簡単な説明】
【図１】パチンコ遊技機の正面図である。
【図２】ガラス板保持枠と打球供給皿を有する前面板及び余剰球受皿を有する前面下部板を開いた状態の斜視図である。
【図３】前面枠体の前面からの斜視図である。
【図４】レール変形防止部材の斜視図である。
【図５】レール変形防止部材を前面枠体に、証紙貼付部材を遊技盤に取り付けた状態の正面図である。
【図６】レール変形防止部材の取り付け部部分の側面断面図である。
【図７】レール飾り部材の斜視図である。
【符号の説明】
４          前面枠体
６          打球供給皿
１３        遊技盤
１４        誘導レール
１６        賞球導入部
１７        賞球出口
１８        レール変形防止部材
５９        係止部材
８０        ガイド部
８１        円弧状側面
８２        突起
８３        隙間
【図１】
0004070928.tif 000002
【図２】
0004070928.tif 000003
【図３】
0004070928.tif 000004
【図４】
0004070928.tif 000005
【図５】
0004070928.tif 000006
【図６】
0004070928.tif 000007
【図７】
0004070928.tif 000008